(57)【要約】【課題】  有機系廃棄物から肥効、または肥効及び肥料成分がコントロールされた液肥の製造を可能にする。【解決手段】  有機系廃棄物による肥料原料２０をメタン発酵させる第１経路２８と、肥料原料２０を好気性発酵及び酵素処理する第２経路２９と、肥料原料２０をメタン発酵した後に好気性発酵及び酵素処理する第３経路３０とを有し、第１経路２８、第２経路２９及び第３経路３０には、必要に応じてそれぞれ調整用の肥料成分２６を選択的に添加できるようになされ、各経路２８、２９、３０と調整用の肥料成分２６とを選択して、所望の肥効及び肥料成分を有する液肥（１）〜（６）を生成する。【選択図】      図２
2006312565.tif 000002
【特許請求の範囲】
【請求項１】
有機系廃棄物による肥料原料をメタン発酵させる第１経路と、
前記肥料原料を好気性発酵及び酵素処理する第２経路と、
前記肥料原料をメタン発酵した後に前記好気性発酵及び酵素処理する第３経路とを有し、
前記第１経路、第２経路及び第３経路には、必要に応じてそれぞれ調整用の肥料成分を選択的に添加できるようになされ、
前記各経路と前記調整用の肥料成分とを選択して、所望の肥効及び肥料成分を有する液肥を生成する
ことを特徴とする液肥製造方法。
【請求項２】
前記調整用の肥料成分を前記第１経路、第２経路、第３経路からの分岐経路に添加し、
前記第１経路、第２経路、第３経路及びそれぞれの分岐経路からの液肥を任意に選択して、所望の肥効及び肥料成分を有する単一液肥、あるいは混合液肥として取り出す
ことを特徴とする請求項１記載の液肥製造方法。
【請求項３】
前記肥料原料として、厨芥、家畜糞尿、屎尿、浄化槽汚泥、下水汚泥、農業廃棄物を選択的に用い、
前記調整用の肥料成分として、リン酸、各種ミネラルを用いる
ことを特徴とする請求項１または２記載の液肥製造方法。
【請求項４】
厨芥を、前記メタン発酵させる第１経路に供給し、
家畜糞尿を、前記メタン発酵させる第１経路、または前記好気性発酵及び酵素処理する第２経路に供給し、
屎尿及び浄化槽汚泥を、前記好気性発酵及び酵素処理する第２経路に供給し、
厨芥または／及び家畜糞尿を、前記メタン発酵させた後に前記好気性発酵及び酵素処理する第３経路に供給する
ことを特徴とする請求項３記載の液肥製造方法。
【請求項５】
有機系廃棄物による肥料原料を供給する肥料原料供給手段と、
前記肥料原料をメタン発酵させる第１処理装置を有する第１経路と、
前記肥料原料を好気性発酵及び酵素処理する第２処理装置を有する第２経路と、
前記肥料原料を前記第１処理装置でメタン発酵した後に前記第２処理装置で好気性発酵及び酵素処理する第３経路と、
前記第１経路、第２経路及び第３経路に、必要に応じてそれぞれ調整用の肥料成分を選択的に添加できる肥料成分調整手段とを備え、
前記各経路と前記肥料成分調整手段から肥料成分とを選択して、所望の肥効及び肥料成分を有する液肥を生成する
ことを特徴とする液肥製造システム。
【請求項６】
前記調整用の肥料成分が前記第１経路、第２経路、第３経路からの分岐経路に添加され、
前記第１経路、第２経路、第３経路及びそれぞれの分岐経路からの液肥を任意に選択して、所望の肥効及び肥料成分を有する単一液肥、あるいは混合液肥として取り出す
ことを特徴とする請求項５記載の液肥製造システム。
【請求項７】
前記肥料原料供給手段は、厨芥、家畜糞尿、屎尿、浄化槽汚泥、下水汚泥、農業廃棄物を選択的に供給できるように構成され、
前記肥料成分調整手段は、リン酸、各種ミネラルが選択的に供給できるように構成されている
ことを特徴とする請求項５または６記載の液肥製造システム。
【請求項８】
厨芥を前記メタン発酵させる第１処理装置を有する第１経路に供給し、
家畜糞尿を前記メタン発酵させる第１処理装置を有する第１経路、または前記好気性発酵及び酵素処理する第２処理装置を有する第２経路に供給し、
屎尿及び浄化槽汚泥を前記好気性発酵及び酵素処理する第２処理装置を有する第２経路に供給し、
厨芥または／及び家畜糞尿を前記第１処理装置でメタン発酵させた後に前記第２処理装置で前記好気性発酵及び酵素処理する第２経路に供給される
ことを特徴とする請求項７記載の液肥製造システム。
【請求項９】
有機系廃棄物による肥料原料をメタン発酵させて肥効特性が緩効性の液肥を生成する第１経路と、
前記肥料原料をメタン発酵させた後に好気性発酵及び酵素処理を行って肥効特性が速効性の液肥を生成する第２経路とを有し、
前記第１経路及び第２経路を選択して肥効特性がコントロールされた液肥を生成する
ことを特徴とする液肥製造方法。
【請求項１０】
前記第１経路及び第２経路からの液肥を任意に選択して、所望の肥効及び肥料成分を有する単一液肥、あるいは混合液肥として取り出す。
ことを特徴とする請求項９記載の液肥製造方法。
【請求項１１】
有機系廃棄物による肥料原料を供給する肥料原料供給手段と、
前記肥料原料をメタン発酵させる第１処理装置と、
前記第１処理装置でメタン発酵させた肥料を、好気性発酵及び酵素処理する第２処理装置とを備え、
前記第１処理装置でメタン発酵させる第１経路と、前記第１処理装置でメタン発酵させた後に前記第２処理装置で好気性発酵及び酵素処理する第２経路とを選択して、肥効特性がコントロールされた液肥を生成する
ことを特徴とする液肥製造システム。
【請求項１２】
前記第１経路及び第２経路からの液肥を任意に選択して、所望の肥効及び肥料成分を有する単一液肥、あるいは混合液肥として取り出す。
ことを特徴とする請求項１１記載の液肥製造システム。
【発明の詳細な説明】
【技術分野】
【０００１】
本発明は、有機系廃棄物から作物栽培に適した液肥を製造する液肥製造方法及び液肥製造システムに関する。
【背景技術】
【０００２】
現在、生ゴミなどの有機系廃棄物は、通常可燃ゴミとして焼却されている。この焼却処理は財政負担の増大や焼却灰の処理、ダイオキシンの発生など様々な環境汚染の原因になっている。また、畜産農家では、屎尿の適切な処理が義務化され畜産農家の大きな負担になっている。一方、有機物は適正に処理し堆肥化すれば優れた有機捕肥料となる。化学肥料や農薬により農地の地力が低下していると言われており、有機肥料の施肥が重要されるようになってきている。
【０００３】
従来より、生ゴミなどの有機系廃棄物から液肥（液状肥料）を生成する技術が知られている。有機系廃棄物の肥料として利用する処理方法としては、大別すると活性汚泥法、メタン発酵、高温発酵及び原尿の４種類である。いずれも、それぞれで得られる液肥を１種類で利用しているのが現状である。
図４に従来技術の一例を示す。従来は、図４に示すように、有機系廃棄物による肥料原料１のうち、厨芥２または家畜糞尿３をメタン発酵処理装置５に供給してメタン発酵させて液肥１０を生成していた。また、他方では家畜糞尿３または屎尿４を好気性発酵及び酵素処理装置７に供給して好気性発酵及び酵素処理して液肥１１を生成していた。農家の利用者は、このように製造された液肥１０または液肥１１のいずれかを用いることになる。
【０００４】
特許文献１、２，３あるいは非特許文献１には、このように有機廃棄物から液肥を製造する技術の例が開示されている。
【特許文献１】特開２００５−３  ４６７５号公報
【特許文献２】特開２００４−９９３６６号公報
【特許文献３】特開２００３−２３６５１４号公報
【非特許文献１】脇屋裕一郎・小島孝之・鈴木一弘・西村弘、  ２０００  豚尿処理水を用いた養液栽培技術の開発  ―水耕培養液としての利用―  西日本畜産学会報  ４３、  １７−２３
【発明の開示】
【発明が解決しようとする課題】
【０００５】
ところで、作物栽培で用いる肥料では、肥効特性、すなわち肥料として作用する持続期間が重要な要素となっている。作物の栽培状況によっては、肥料を早く効かせたい場合、肥料をゆっくり効かせた場合などがあり、早く効かせたいときには肥効が短い肥料を使い、ゆっくり効かせたいときには肥効が長い肥料を使うことになる。例えば、米の栽培では、最初に使う肥料（元肥）は長い期間（例えば１か月〜２か月間）にわたり効く、いわゆる肥効の長い肥料が要求され、栽培途中で単発で与える肥料（追肥）は肥効の短い肥料が要求される。また、栽培する作物に応じて、それぞれに適した肥料が要求される。
【０００６】
上述したメタン発酵による液肥は、長い期間（例えば１か月〜）肥効が持続する。高温発酵による液肥は、肥効が短く、例えば水田に入れた場合には１週間以内で全部肥効が消える。現状では各自治体、企業での処理方法は１種類しか採用しておらず、有機廃棄物から液肥を製造しても、１種類であるため、不適切な使い方になってしまう。例えば米栽培に適する液肥を、野菜栽培に使うような場合には良い野菜ができない。
【０００７】
有機系廃棄物からの液肥の製造は、有機系廃棄物の有効利用（再利用）の拡大、農業の活性化、環境汚染の抑制などを促進するもので、極めて有益である。しかし、上述したように現状の液肥は、種類が限られ、しかも肥効特性が特定された液肥であるため、有効に活用できていない。また、液肥に含まれる各肥料成分も最適であることが望まれる。
【０００８】
本発明は、上述に点に鑑み、有機系廃棄物からの液肥の製造において、肥効のコントロール、肥料成分のコントロールを可能にし、各種の作物栽培に適した液肥を製造できるようにした、液肥製造方法及び液肥製造システムを提供するものである。
【課題を解決するための手段】
【０００９】
本発明に係る液肥製造方法は、有機系廃棄物による肥料原料をメタン発酵させる第１経路と、肥料原料を好気性発酵及び酵素処理する第２経路と、肥料原料をメタン発酵した後に好気性発酵及び酵素処理する第３経路とを有し、第１経路、第２経路及び第３経路には、必要に応じてそれぞれ調整用の肥料成分を選択的に添加できるようになされ、各経路と調整用の肥料成分とを選択して、所望の肥効及び肥料成分を有する液肥を生成することを特徴とする。
【００１０】
本発明に係る液肥製造システムは、有機系廃棄物による肥料原料を供給する肥料原料供給手段と、肥料原料をメタン発酵させる第１処理装置を有する第１経路と、肥料原料を好気性発酵及び酵素処理する第２処理装置を有する第２経路と、肥料原料を第１処理装置でメタン発酵した後に前記第２処理装置で好気性発酵及び酵素処理する第３経路と、第１経路、第２経路及び第３経路に、必要に応じてそれぞれ調整用の肥料成分を選択的に添加できる肥料成分調整手段とを備え、各経路と肥料成分調整手段から肥料成分とを選択して、所望の肥効及び肥料成分を有する液肥を生成することを特徴とする。
【００１１】
本発明に係る液肥製造方法は、有機系廃棄物による肥料原料をメタン発酵させて肥効特性が緩効性の液肥を生成する第１経路と、肥料原料をメタン発酵させた後に好気性発酵及び酵素処理を行って肥効特性が速効性の液肥を生成する第２経路とを有し、第１経路及び第２経路を選択して肥効特性がコントロールされた液肥を生成することを特徴とする。
【００１２】
本発明に係る液肥製造システムは、有機系廃棄物による肥料原料を供給する肥料原料供給手段と、肥料原料をメタン発酵させる第１処理装置と、第１処理装置でメタン発酵させた肥料を、好気性発酵及び酵素処理する第２処理装置とを備え、第１処理装置でメタン発酵させる第１経路と、第１処理装置でメタン発酵させた後に第２処理装置で好気性発酵及び酵素処理する第２経路とを選択して、肥効特性がコントロールされた液肥を生成することを特徴とする。
【００１３】
有機系廃棄物による肥料原料をメタン発酵して得られる液肥は、肥効特性が緩効性の液肥（いわゆる肥効の長い液肥）となり、好気性発酵及び酵素処理して得られる液肥は肥効特性が速効性の液肥（いわゆる肥効の短い液肥）となる。肥料原料の処理経路を選択することにより、得られる液肥の肥効特性をコントロールできる。また、得られる液肥に調整用の肥料成分を選択的に添加することにより、液肥の肥料成分をコントロールできる。
【発明の効果】
【００１４】
本発明に係る液肥製造方法によれば、有機系廃棄物による肥料原料の処理経路として、メタン発酵させる第１経路と、好気性発酵及び酵素処理する第２経路と、メタン発酵した後に好気性発酵及び酵素処理する第３経路を有して、且つ各経路に調整用の肥料成分を添加できるようにして、各経路及び調整用の肥料成分を選択することにより、各経路を通じて肥効及び肥料成分がコントールされた液肥を製造することができる。
【００１５】
本発明に係る液肥製造システムによれば、肥料原料供給手段と、メタン発酵させる第１処理装置を有する第１経路と、好気性発酵及び酵素処理する第２処理装置を有する第２経路と、第１処理装置でメタン発酵させた後に第２処理装置で好気性発酵及び酵素処理する第３経路と、肥料成分調整手段とを備え、各経路と調整用の肥料成分とを選択することにより、肥効及び肥料成分がコントールされた液肥を製造することができる。
【００１６】
本発明に係る液肥製造方法によれば、有機系廃棄物による肥料原料の処理経路として、肥料原料をメタン発酵させて肥効特性が緩効性の液肥を生成する第１経路と、肥料原料をメタン発酵させた後に好気性発酵及び酵素処理を行って肥効特性が速効性の液肥を生成する第２経路とを有し、第１経路及び第２経路を選択することにより、肥効特性がコントロールされた液肥を製造することができる。
【００１７】
本発明に係る液肥製造システムによれば、肥料原料供給手段と、メタン発酵させる第１処理装置と、好気性発酵及び酵素処理する第２処理装置とを備え、第１処理装置でメタン発酵させる第１経路と、第１処理装置でメタン発酵させた後に第２処理装置で好気性発酵及び酵素処理する第２経路とを選択することにより、肥効特性がコントロールされた液肥を製造することができる。
【発明を実施するための最良の形態】
【００１８】
以下、図面を用いて本発明の実施の形態を説明する。
【００１９】
図１に、本発明に係る液肥製造システムの一実施の形態を示す。本実施の形態に係る液肥製造システムは、基本的には製造する液肥の肥効をコントロール可能な構成にしている。本実施の形態の液肥製造システム１１は、図１に示すように、有機系廃棄物による肥料原料１０を供給する肥料原料供給手段１２と、肥料原料１０をメタン発酵させる第１処理装置１３と、第１処理装置１３の後段に配置された好気性発酵と同時に酵素処理を行う第２処理装置１４とを備える。さらに肥料原料供給手段１２からの肥料原料１０を第１処理装置１３に供給してメタン発酵させて第１の液肥Ａを生成する第１経路、すなわち肥料原料供給手段１２から第１処理装置１３を経て液肥収容槽１７に至る第１経路１５と、第１処理装置１３でメタン発酵で得られた液肥Ａをさらに第２処理装置に送り、好気性発酵及び酵素処理を同時に行って第２の液肥Ｂを生成する第２経路、すなわち肥料原料供給手段１２から第１処理装置１３、第２処理装置１４を経て液肥収容槽１８に至る第２経路１６とを備える。さらに、必要に応じて各液肥収容槽１７，１８に得られた液肥Ａ，液肥Ｂを選択的に混合して肥効を調整する肥効調整手段１９が配置される。この肥効調整手段１９では、混合比も調整される。
【００２０】
肥料原料１０としては、厨芥（家庭生ゴミ、事業生ゴミ）、浄化槽汚泥、下水汚泥、畜産糞尿、農業廃棄物などの有機廃棄物が用いられる。
【００２１】
次に、図１の液肥製造システム１１を用いて、本発明の一実施の形態に係る液肥製造方法、すなわち、肥効がコントロールされた液肥の製造方法を説明する。肥料原料供給手段１２に厨芥（家庭生ゴミ、事業生ゴミ）、浄化槽汚泥、下水汚泥、畜産糞尿、農業廃棄物などの有機廃棄物による肥料原料１０が選択的に投入される。この肥料原料１０を第１処理装置１３に送り、メタン発酵させる。メタン発酵処理によりメタンガス、二酸化炭素ガス等のバイオガスと、比較的粘度の高い液肥Ａが生成される。この液肥Ａを、第１経路１５を通して液肥収容槽１７に取出す。この液肥Ａは、肥効特性として緩効性を有する（いわゆる肥効が長い）。
【００２２】
他方、肥料原料１０を第１処理装置１３に送り、メタン発酵させた後、生成された液肥Ａをさらに第２処理装置１４に送って好気性発酵及び酵素処理を同時に行う。このメタン発酵処理と、好気性発酵及び酵素処理により、比較的粘度の低い液肥Ｂが生成される。この液肥Ｂを、第２経路１６を通して液肥収容槽１８に取出す。この液肥Ｂは、肥効特性として速効性を有する（いわゆる肥効が短い）。
【００２３】
さらに、各液肥収容槽１７及び１８で得られた各液肥Ａ及びＢを、肥効調整手段１９に供給してこれより例えばに次にの液肥Ａ，Ｂのまま取り出し、あるいは液肥Ａと液肥Ｂとを混合比調整して混合し、肥効を調整した混合液肥として取り出す。
【００２４】
メタン発酵は、厨芥などの有機系廃棄物を細かく粉砕してスラリー化したものを、外気を遮断（嫌気状態）して発酵に適した温度（約３５℃〜５５℃）に保持したメタン発酵槽に投入し、メタン菌などの細菌を利用して行われる。メタン発酵処理でスラリーに含まれる有機物は分解され、バイオガスと液肥を生成する。
好気性発酵は、屎尿、家畜糞尿等の有機系廃棄物に好気性菌（微生物）と空気（酸素）を供給して行われる。１次発酵は十分な空気を供給して微生物を増加させ有機物を急速に分解する。２次発酵は温度が低下したままさらに多様な微生物が出現し熟成される。
酵素処理は、屎尿、家畜糞尿等の有機系廃棄物に好気性菌と分解酵素を添加し、空気（酸素）を供給して好気性発酵を行う方法である。好気性菌と空気を用いた好気性発酵よりも急速に有機物を分解することが可能である。
【００２５】
本実施の形態の液肥製造方法及び液肥製造システム１１によれば、第１処理装置１３でメタン発酵のみを行う第１経路１５と、第１処理装置１３及び第２処理装置１４を用いて、メタン発酵させた後に好気性発酵と酵素処理を同時に行う第２経路１６とを選択することにより、液肥の肥効がコントロールされ、肥効の長い液肥Ａと肥効が短い液肥Ｂを選択的に製造することができる。また、肥効調整手段１９により単独液肥Ａ，Ｂ、あるいは液肥Ａ及び液肥Ｂを含み混合比調整した混合液肥、を選択することにより、緩効性〜速効性の調整が自由にできる。すなわち、液肥の肥効は任意に調整することができる。従って、ユーザに対して栽培作物に応じて適した液肥を提供し、あるいは栽培過程で元肥、追肥などに適した液肥を提供することができる。
【００２６】
図２に、本発明に係る液肥製造システムの他の実施の形態を示す。本実施の形態に係る液肥製造システムは、基本的には製造する液肥の肥効と肥料成分の両方をコントール可能に構成される。本実施の形態の液肥製造システム２１は、図２に示すように、有機系廃棄物による肥料原料２０を供給する肥料原料供給手段２２と、肥料原料２０をメタン発酵させる第１処理装置２３と、肥料原料２０を好気性発酵と同時に酵素処理する第２処理装置２４と、後述する各経路に調整用の肥料成分を選択的に供給するための肥料成分調整手段２５とを備える。さらに、肥料原料供給手段２２からの肥料原料２０をメタン発酵させる第１処理装置２３を有する第１経路、すなわち肥料原料供給手段２２から第１処理装置２３を経て液肥収容槽３１に至る第１経路２８と、肥料原料供給手段２２からの肥料原料２０を好気性発酵及び酵素処理を同時に行う第２処理装置２４を有する第２経路、すなわち肥料原料供給手段２２から第２処理装置２４を経て液肥収容槽３５に至る第２経路２９と、肥料原料供給手段２２からの肥料原料２０を第１処理装置２３でメタン発酵させた後、メタン発酵で得られた液肥をさらに第２処理装置２４で好気性発酵及び酵素処理を同時に行う第３経路、すなわち肥料原料供給手段２２から第１処理装置２３、第２処理装置２４を経て液肥収容槽３３に至る第３経路３０とを備える。
【００２７】
肥料原料２０としては、例えば、厨芥、家畜糞尿、屎尿、浄化槽汚泥、下水汚泥、農業廃棄物などの有機廃棄物が用いられる。
【００２８】
肥料成分調整手段２５は、肥料成分２６である例えばリン酸、各種ミネラルと、これらの肥料成分２６のうちの１種類、あるいは複数種類を添加量の調整と共に選択する選択手段２７とを有して構成される。この肥料成分調整手段２５から選択された所要の肥料成分２６が、第１経路２８から分岐した経路２８′に、第２経路２９から分岐した経路２９′に、第３経路３０から分岐した経路３０′に、それぞれ供給されるようになされる。
すなわち、経路２８′は、肥料原料供給手段２２から第１処理装置２３を経て肥料成分２６を添加して液肥収容槽３２に至る経路である。経路２９′は、肥料原料供給手段２２から第２処理装置２４を経て肥料成分２６を添加して液肥収容槽３６に至る経路である。経路３０′は、肥料原料供給手段２２から第１処理装置２３、第２処理装置２４を経て肥料成分２６を添加して液肥収容槽３４に至る経路である。
【００２９】
さらに、必要に応じて各液肥収容槽３１〜３６に得られた液肥（１）〜液肥６）を選択的に混合して肥効を調整する肥効調整手段３８が配置される。この肥効調整手段３８では、混合比も調整される。
【００３０】
次に、図２の液肥製造システム２１を用いて、本発明の他の実施の形態に係る液肥製造方法、すなわち肥効及び肥料成分がコントロールされた液肥の製造方法を説明する。
肥料原料手段２２に製造しようとする液肥に適した肥料原料２０を投入する。すなわち、例えば厨芥、家畜糞尿、屎尿、浄化槽汚泥、下水汚泥、農業廃棄物などの有機廃棄物の中から選択して投入する。この肥料原料２０を第１処理装置２３に供給してメタン発酵させる。メタン発酵により比較的粘度の高い液肥（１）を生成し、第１経路２８を通して液肥（１）を液肥収容槽３１に取出す。必要に応じて第１経路２８から分岐した経路２８′を通過する液肥（１）に、肥料成分調整手段２５から必要な肥料成分２６を所要量添加して、肥料成分を調整した液肥（２）を生成し、経路２８′を通して液肥（２）を液肥収容槽３２に取出す。
【００３１】
また、他の液肥に適した肥料原料２０を第２処理装置２４に供給して好気性発酵と酵素処理を同時に行う。好気性発酵と酵素処理により、比較的粘度の低い液肥（５）を生成し、第２経路２９を通して液肥（５）を液肥収容槽３５に取出す。必要に応じて第２経路２９から分岐した経路２９′を通過する液肥（５）に、肥料成分調整手段２５から必要な肥料成分２６を所要量添加して、肥料成分を調整した液肥（６）を生成し、経路２９′を通して液肥（６）を液肥収容槽３６に取出す。
【００３２】
また、第１処理装置２３によりメタン発酵させて液肥（１）を生成した後、この液肥（１）を、第３経路３０を通じて第２処理装置２４に供給し、好気性発酵及び酵素処理を同時に行って比較的粘度の低い液肥（３）を生成する。この液肥（３）を、第３経路３０を通して液肥収容槽３３に取出す。必要に応じて第３経路３０から分岐した経路３０′を通過する液肥（３）に、肥料成分調整手段２５から必要な肥料成分２６を所要量添加して、肥料成分を調整した液肥（４）を生成し、経路３０′を通して液肥（４）を液肥収容槽３４に取出す。
【００３３】
さらに、各液肥収容槽３１〜３６で得られた各液肥（１）〜（６）を、肥効調整手段３８に供給してこれより単一の液肥（１）乃至（６）のまま取り出し、あるいは液肥(1)〜（６）のうちから選ばれた任意の液肥を混合比調整して混合し、肥効を調整した混合液肥を取り出す。
【００３４】
本実施の形態の液肥製造方法及び液肥製造システム２１によれば、肥効特性について見ると、液肥（１）、（２）は緩効性であり（肥効が長い）、液肥（５）、（６）は速効性であり（肥効が短い）、液肥（３）、（４）は液肥（５）、（６）よりも肥効が長くなる。このように第１処理装置２３でメタン発酵のみを行う第１経路２８と、第２処理装置２４で好気性発酵及び酵素処理のみを行う第２経路２９と、第１処理装置２３でメタン発酵させた後に第２処理装置２４で好気性発酵及び酵素処理を行う第３経路３０を選択することにより、肥効をコントロールすることができる。さらに、肥効調整手段３８により単独液肥、あるいは液肥の組み合わせ及び混合比を調整した混合液肥、を選択することにより、緩効性〜速効性の調整が自由にできる。
【００３５】
さらに、メタン発酵、好気性発酵に関して、発酵温度と発酵時間を制御することによっても、生成される液肥の組成を変えることが可能となり、肥効調整も可能となる。ただし、肥料としての品質が低下する場合もある。
【００３６】
一方、肥料成分調整手段２５からの肥料成分２６の種類、添加量を選択して供給することにより、液肥の肥料成分をコントロールすることができる。従って、肥効及び肥料成分が任意にコントロールされた液肥を製造することができる。これにより、ユーザに対して栽培作物に応じて適した液肥を提供し、あるいは栽培過程で元肥、追肥などに適した液肥を提供することができる。
【００３７】
図３に、図２の具体例を示す。本例では、肥料原料２０として厨芥２０１、家畜糞尿２０２、屎尿２０３、浄化槽汚泥２０４を用いる。第１経路２８は、厨芥２０１を第１処理装置２３でメタン発酵させて液肥（１）を生成する経路ａと、家畜糞尿２０２を第１処理装置２３でメタン発酵させて液肥（１）を生成する経路ｂとからなる。ここで、厳密には経路ａで生成される液肥（１）と、経路ｂで生成される液肥（１）とは異なる。
【００３８】
第２経路２９は、家畜糞尿２０３を第２処理装置２４で好気性発酵及び酵素処理を行って液肥（５）を生成される経路ｇと、屎尿２０３及び浄化槽汚泥２０４を第２処理装置２４で好気性発酵及び酵素処理を行って液肥（５）を生成される経路ｈとからなる。ここで、厳密には経路ｇで生成される液肥（５）と、経路ｈで生成される液肥（５）とは異なる。
【００３９】
第３経路３０は、第１処理装置２３でメタン発酵させて生成させた液肥（１）を、さらに第２処理装置２４に供給して液肥（３）を生成する経路ｅとなる。ここで、厳密には厨芥２０１を原料として生成される液肥（３）と、家畜糞尿２０２を原料として生成される液肥（３）と、さらに厨芥２０１と家畜糞尿２０２との混合物を原料として生成される液肥（３）とは異なる。
【００４０】
肥料成分調整手段２５では、肥料成分２６として、例えばリン酸２６１、各種ミネラル２６２、２６３、・・２６ｎが用いられ、これらの肥料成分２６１〜２６ｎのうちの１種類あるいは複数種類を添加量の調整と共に選択される。この肥料成分調整手段２５から選択された所要の肥料成分２６が、経路ａから分岐した経路ｃに、経路ｂから分岐した経路ｄに、経路ｅから分岐した経路ｆに、経路ｇから分岐した経路ｉに、経路ｈから分岐した経路ｊに、それぞれ供給されるようになされる。
【００４１】
液肥収容槽３１〜３６′後段には、各液肥収容槽３１〜３６′に得られた液肥(1)〜（６′）を選択的に混合し、かつ混合比も調整して肥効を調整する肥効調整手段３８が配置される。
【００４２】
図３に示す液肥製造システム２１及びこれを用いた液肥製造方法によれば、各経路ａ〜経路ｊを通じて肥効及び肥料成分がコントロールされた液肥（１）（２）（２′）（３）（４）（５）（６）（６′）を製造することができる。各液肥(1)〜（６′）はそれぞれ、各液肥収容槽３１，３２，３２′、３３，３４，３５，３６，３６′に収容される。さらに必要に応じて、各液肥収容槽３１〜３６′を、肥効調整手段３８に供給してこれより単一の液肥（１）乃至（６′）のまま取り出し、あるいは液肥(1)〜（６′）のうちから選ばれた任意の液肥を混合調整して混合し、肥効を調整した液肥を取り出す。このようにして、肥効特性を任意にコントロールし、かつ肥料成分を任意にコントロールした液肥を製造できる。
【図面の簡単な説明】
【００４３】
【図１】本発明に係る液肥製造システムの一実施の形態を示す構成図である。
【図２】本発明に係る液肥製造システムの他の実施の形態を示す構成図である。
【図３】図２の具体例に係る液肥製造システムを示す構成図である。
【図４】従来の有機系廃棄物から液肥を製造する例を示す構成図である。
【符号の説明】
【００４４】
１０、２０・・肥料原料、１１、２１・・液肥製造システム、１３、２３・・メタン発酵させる第１処理装置、１４、２４・・好気性発酵及び酵素処理させる第２処理装置、１５・・第１経路、１６・・第２経路、１９・・肥効調整手段、２５・・肥料成分調整手段、２６・・肥料成分、２７・・選択手段、２８・・第１経路、２９・・第２経路、３０・・第３経路、ａ〜ｊ・・処理される経路、３８・・肥効調整手段
【図１】
2006312565.tif 000003
【図２】
2006312565.tif 000004
【図３】
2006312565.tif 000005
【図４】
2006312565.tif 000006